(57)【要約】      （修正有）【課題】補修等により埋設タンクの内側にＦＲＰ等の内殻を設置する必要がなく、タンクに生じる腐蝕や孔蝕を容易に知ることができる二重殻構造の埋設タンクを提供する。【解決手段】二重殻構造の埋設タンク１は、内殻と、外殻と、内殻と外殻間に配設された油検知線と、油検知線に接続された油検知器とを備え、内殻から漏れた油成分を検知線によって検知し、油検知器によって検知した油検知情報を信号線２５を介して外部のモニタ１８に通知する。【選択図】図１
0003199105.tif 000002
【実用新案登録請求の範囲】
【請求項１】
内殻と、外殻と、該内殻と外殻間に配設された油検知線と、該油検知線に接続された油検知器と、を備えた新設の埋設タンクであって、
前記内殻から漏れた油成分を前記検知線によって検知し、前記油検知器によって検知した油検知情報を外部に通知する
ことを特徴とする二重殻構造の埋設タンク。
【請求項２】
前記油検知線は、前記内殻の下部外周面と前記外殻の下部内周面間に形成された隙間に直線状に配設されていることを特徴とする請求項１に記載の二重殻構造の埋設タンク。
【請求項３】
前記内殻と外殻は鋼板又はＦＲＰで構成されていることを特徴とする請求項１、又は２に記載の二重殻構造の埋設タンク。
【請求項４】
前記内殻と外殻間には所定間隔を保持するためのスペーサが設けられていることを特徴とする請求項１、２、又は３に記載の二重殻構造の埋設タンク。
【請求項５】
前記油検知器の出力は外部のモニタに送信され、埋設タンクの欠陥箇所の表示が行われることを特徴とする請求項１、２、３、又は４に記載の二重殻構造の埋設タンク。
【請求項６】
前記油検知器は異なる位置に複数設けられ、該複数の油検知器の出力に基づいて、前記モニタは埋設タンクの欠陥箇所の表示を行うことを特徴とする請求項５に記載の二重殻構造の埋設タンク。
【考案の詳細な説明】
【技術分野】
【０００１】
本考案は内部にガソリン等の油検知器を備えた二重殻構造の新設埋設タンクに関する。
【背景技術】
【０００２】
今日、ガソリンスタンド等において、油貯蔵用の鋼製の地下タンクが広く使用されている。しかし、このような地下タンクは、長期間の使用により経年変化し、腐蝕や孔蝕を生じる場合があり、油漏れ等の原因となる。さらに、一旦鋼製タンクを埋設した場合、地上からタンクの腐蝕や孔蝕を点検することは困難である。
【０００３】
このため、例えば特許文献１はタンクの製造において高度な加工技術が不要でかつ製作の手間が掛からず、施工手間が少ない合成樹脂製の埋設タンクの提案が行われている。しかしながら、一旦ガソリン等の油漏れが発生すると、土壌汚染等の環境への影響が大きい。特に油漏れが長期間続く場合、土壌汚染のみならず地下水等への浸透が大きな社会問題となる。
【０００４】
そこで、地下に埋設した既存のタンクにスペーサを介装し、例えばFRPの内殻を配設し、油漏れを防止する方法が提案されている。
【先行技術文献】
【特許文献】
【０００５】
【特許文献１】特開２００３−２６１１９５号公報
【考案の概要】
【考案が解決しようとする課題】
【０００６】
しかしながら、既に地下に埋設した既製のタンクの内面にスペーサを介装し、例えばFRP等によって内殻を配設する作業には多くの労力を要し、費用も嵩む。また、一旦ガソリン等の油漏れが発生した地下タンクに補修を行う作業は、土壌汚染への対応も必要であり、困難な作業となる。
【０００７】
そこで、本考案は地下に埋設するタンクとして当初より二重殻構造の埋設タンクを使用し、更に予めガソリン等の油漏れを検知する検知器を備えた新設埋設タンクとすることによって、土壌汚染等を未然に防止し、地下水の汚染等の環境への悪影響を無くす二重殻構造の新設埋設タンクを提供するものである。
【課題を解決するための手段】
【０００８】
本考案は上記課題を解決するため、内殻と、外殻と、該内殻と外殻間に配設された油検知線と、該油検知線に接続された油検知器と、を備えた新設の埋設タンクであって、例えば内殻から漏れた油成分を上記検知線によって検知し、油検知器によって検知した油検知情報を外部に通知する二重殻構造の埋設タンクを提供することによって達成できる。
【０００９】
また、上記油検知線は、内殻の下部外周面と外殻の下部内周面間に形成された隙間に直線状に配設され、上記内殻と外殻は鋼板又はＦＲＰで構成され、更に上記内殻と外殻間には所定間隔を保持するためのスペーサが設けられていることを特徴とする。
【００１０】
また、上記油検知器の出力は外部のモニタに送信され、埋設タンクの欠陥箇所の表示が行われることを特徴とする。
【００１１】
さらに、上記油検知器は異なる位置に複数設けられ、該複数の油検知器の出力に基づいて、上記モニタは埋設タンクの欠陥箇所の表示を行うことを特徴とする。
【考案の効果】
【００１２】
本考案によれば、内部にガソリン等の油検知器を備えた新設の二重殻構造の埋設タンクを使用することによって、以後補修等により埋設タンクの内側にＦＲＰ等の内殻を設置する必要がなく、タンクに生じる腐蝕や孔蝕を容易に知ることができる。したがって、油漏れに起因する土壌汚染等を未然に防止することができる。
【図面の簡単な説明】
【００１３】
【図１】本実施形態の新設埋設タンクの例を示す図である。
【図２】地下タンクの断面構成を示す図である。
【図３】地下タンクの底部の拡大図を示す図である。
【図４】検知器の構成を示す図である。
【図５】油漏れ検知回路の回路例を示す図である。
【図６】本実施形態の新設埋設タンクの変形例を示す図である。
【図７】油漏れ検知回路の他の回路例を示す図である。
【考案を実施するための形態】
【００１４】
以下、本考案の実施形態について、図面を参照しながら詳細に説明する。
図１は本実施形態の新設埋設タンクの例を示す図であり、内部にガソリン等の油検知器を備えた二重殻構造の新設タンクである。尚、本例の二重殻構造の埋設タンクは、例えばガソリンスタンド等の油類を貯蔵する地下タンクを備えた場所に新設される。
【００１５】
同図において、地下タンク１には、例えばガソリンを入れる注油管２、地下タンク１からガソリンを吸引する給油管３、地下タンク１の通気を行う通気管４、及び地下タンク１に貯蔵されたガソリンの液面高を計測する液面計５が設置されている。また、地下タンク１は地表から所定の深さに埋設され、地下タンク１上はコンクリートが施設されている。
【００１６】
注油管２には地表に注油口７が設けられ、注油口７からガソリンの注油を行う。また、給油管３には地表に計量器、ポンプ等の機器類８が設けられ、地下タンク１からガソリンを吸引し、吸引するガソリンの計量を行う。また、上記注油管２にはバルブ９が設けられ、給油管３にはバルブ１０が設けられている。尚、通気管４には通気口１２が設けられ、地下タンク１内で発生するガスを排出する。
【００１７】
また、図１には事務所１９に配設されたモニタ１８に延びる信号線２５が記載されており、この信号線２５は地下タンク１に腐蝕穴や孔蝕穴が発生したことを示す情報を信号として送り、モニタ１８に通知する。
【００１８】
図２は、地下タンク１の断面構成を示す図であり、図１に示す地下タンク１のＤ−Ｄ断面近傍を示す斜視図である。同図に示すように、地下タンク１は鋼板で形成された内殻１４とＦＲＰ（繊維強化複合材）で形成された外殻１５で構成され、内殻１４と外殻１５間にはスペーサ１６が介装されている。
【００１９】
尚、ＦＲＰ（繊維強化複合材）は、例えばプラスチック、金属、ゴム等を高強度繊維で補強した複合材であり、ガラス繊維複合材（GFRP (Glass fiber reinforced plastics)）や炭素繊維複合材等を使用する。また、上記スペーサ１６の材料もＦＲＰを使用することによって、外殻１５とスペーサ１６を同じ金型を使用して一体形成することができる。
【００２０】
さらに、内殻１４を鋼材に代えてＦＲＰを使用することによって、内殻１４と外殻１５とスペーサ１６全てを一体形成することも可能となる。このように構成すれば、本実施形態の新設埋設タンクの製造コストを低減することができる。
【００２１】
上記構成の二重殻構造の新設埋設タンクにおいては、内殻１４と外殻１５間に所定の隙間１７が形成される。この隙間１７に検知線２０が配設されている。この検知線２０は地下タンク１の底部に沿って配設され、地下タンク１の長手方向全長に渡って配設されている。
【００２２】
図３に本例の地下タンク１の底部（Ａ部）の拡大図を示す。同図に示すように、検知線２０は内殻１４と外殻１５間の隙間１７に配設され、地下タンク１の底に溜まった水や有機溶液を後述する検知器に導く。同図に示すように、検知線２０は、内殻１４の下部外周面と外殻１５の下部内周面間に形成された隙間１７に直線状に配設されている。
【００２３】
検知器２２は、例えば地下タンク１の底部に沿って配設された検知線２０の中央部に設置する。図４は検知器２２の構成を示す図である。同図に示すように、検知器２２は両側のフッ素ポリマーセンサ２３ａ、２３ｂと、フッ素ポリマーセンサ２３ａ、２３ｂ間に設けられた検出回路２４で構成され、水や有機溶液が何れかのセンサ２３ａ又は２３ｂに触れると光を発生する。検出回路２４はこの光を検出し、電圧変化に変換し、鋼製タンク１４の腐蝕穴や孔蝕穴の存在を検知する。
【００２４】
一方、地下タンク１の上部には不図示の点検口が設けられ、検知器２２によって検知された検知信号が信号線２５を介して、この点検口を経由して事務所２０内のモニタ１８に送られる。
【００２５】
モニタ１８はＬＥＤ表示部やスピーカ等を備え、例えば検知器２２がガソリンや油等の有機溶液を検知し、鋼製タンク１の腐蝕穴や孔蝕穴の発生を検知すると、ＬＥＤを発光し、更にスピーカから予め録音された警告音を発生する。
【００２６】
以上の構成の地下タンク１において、以下に内殻１４の腐蝕や孔蝕による腐蝕穴や孔蝕穴の発生を検知する検知動作を説明する。
長年の使用によって地下タンク１の内殻１４に劣化が生じると、内殻１４の鋼板に腐蝕穴や孔蝕穴が発生し、当該箇所からガソリン（油）が浸入する。しかし、本例の二重殻構造によれば、内殻１４の外周面に外殻１５が覆設されており、地下タンク１（内殻１４）ガソリン（油）が外部に漏れ出すことがない。したがって、ガソリン（油）漏れによる土壌の汚染等を防止できる。
【００２７】
例えば、鋼製タンク１４の左側に発生した穴から侵入した水や有機溶液は地下タンク１（内殻１４）左側底面に達し、検知線２０を通ってフッ素ポリマーセンサ２３ａに到達する。フッ素ポリマーセンサ２３ａは水や有機溶液を検知すると発光し、検出回路２４はこの光を検出し、電圧変化に変換し、地下タンク１の不良を検出する。
【００２８】
また、上記実施形態の説明では検知器２２として有機溶液等を検出するフッ素ポリマーセンサを使用したが、フッ素ポリマーセンサに限らず、有機溶液や水等を検出するセンサであれば適用することができる。
例えば、図５に示す回路の分圧抵抗Ｒ３、Ｒ４の抵抗Ｒ３に並行に端子Ｐ１、Ｐ２を設け、また分圧抵抗Ｒ５、Ｒ６の抵抗Ｒ５に並行に端子Ｐ３、Ｐ４を設け、端子Ｐ１、Ｐ２を前述のフッ素ポリマーセンサ２３ａに代えて使用し、端子Ｐ３、Ｐ４を前述のフッ素ポリマーセンサ２３ｂに代えて使用する。
【００２９】
このように構成することによって、例えば端子Ｐ１とＰ２間に有機溶液や水等が浸入するとトランジスタＴｒ１のベース（Ｂ）電位が変化し、出力１から検知信号が出力され、腐蝕穴や孔蝕穴の発生を報知することができる。同様に、端子Ｐ３とＰ４間に有機溶液や水等が浸入するとトランジスタＴｒ２のベース（Ｂ）電位が変化し、出力２から検知信号が出力され、腐蝕穴や孔蝕穴の発生を報知することができる。この場合も、鋼製タンク１４に発生した穴が鋼製タンク１４の右側であるか、又は左側であるかの検出を行なうこともできる。
【００３０】
また、上記実施形態の説明では地下タンク１の腐蝕や孔蝕について説明したが、例えば検知線や検知器としてガス漏れを検知することができる場合、油漏れ検知に代えて、ガス漏れ検知に使用することもできる。
【００３１】
図６は本例の検知器を備えた二重殻構造の新設埋設タンクの変形例を示す図である。同図に示すように、地下タンク１の下部には検知センサ３３が一定間隔で設けられている。検知センサ３３は、例えば半導体センサであり、ガソリン等の油成分を検知すると内部の抵抗値が変化する。
【００３２】
上記のように検知センサ３３は内殻１４と外殻１５の隙間１７に一定間隔で取り付けられ、各検知センサ３３−１、３３−２、・・には対応して信号線が接続されている。この信号線は油漏れ検知装置に接続され、各ガス検知センサ３３−１、３３−２、・・からの油漏れの検知信号（抵抗値変化）を通知する。
【００３３】
図７は油漏れ検知装置３５の回路図である。同図に示すように、油漏れ防止装置３５は各ガス検知センサ３３−１、３３−２、・・に対応してガス漏れ検知回路３５−１、３５−２、・・３５−ｎで構成され、対応する検知センサ３３−１、３３−２、・・３３−ｎからの検知信号に基づいて油漏れの検知を行う。
【００３４】
例えば、油漏れ検知回路３５−１はトランジスタＴｒ１、抵抗Ｒ１、ｒ１、及びガス検知センサ３３−１で構成され、検知センサ３３−１の抵抗値と抵抗Ｒ１の抵抗値によって電源Ｅの電圧値Ｖを分割し、検知センサ３３−１の抵抗値が予め設定された所定値以上に達するとトランジスタＴｒ１のコレクタから油漏れ検知信号が出力（出力１）される。
【００３５】
同様に、油漏れ検知回路３５−２についても、トランジスタＴｒ２、抵抗Ｒ２、ｒ２、及びガス検知センサ３３−２で構成され、ガス検知センサ３３−２の抵抗値と抵抗Ｒ２の抵抗値によって電源Ｅの電圧値Ｖを分割し、ガス検知センサ３３−２の抵抗値が予め設定された所定値以上に達するとトランジスタＴｒ２のコレクタからガス漏れ検知信号を出力（出力２）する。
【００３６】
以下、他の油漏れ検知回路３５−３、３５−４、・・３５−ｎについても同様であり、ガス検知センサ３３−３、３３−４、・・３３−ｎがガス漏れを検知すると、抵抗値が変化し、対応する油漏れ検知回路３５−３、３５−４、・・３５−ｎから出力（出力３、出力４、・・出力ｎ）を行い、油漏れを外部に報知する。
【００３７】
この油漏れの報知には前述と同様、ＬＥＤやスピーカが使用され、ＬＥＤを点灯させ（又はＬＥＤを点滅させ）、スピーカから警告音を発生し、油漏れを外部に報知する。したがって、このように構成すれば地下タンク内の何れの位置から油漏れがあり、欠陥補修を容易に行うことができる。
【符号の説明】
【００３８】
１・・・地下タンク
２・・・注油管
３・・・給油管
４・・・通気管
５・・・液面計
７・・・注油口
８・・・機器類
９、１０・・バルブ
１１・・信号線
１２・・通気口
１４・・内殻
１５・・外殻
１６・・スペーサ
１７・・隙間
１８・・モニタ
１９・・スペース
２０・・信号線
２２・・検知器
２３ａ、２３ｂ・・フッ素ポリマーセンサ
２４・・検知回路
２５・・信号線
３３、３３−１、３３−２、・・検知センサ
３５・・油漏れ検知装置
３５−１、３５−２、・・油漏れ検知回路
【図１】
0003199105.tif 000003
【図２】
0003199105.tif 000004
【図３】
0003199105.tif 000005
【図４】
0003199105.tif 000006
【図５】
0003199105.tif 000007
【図６】
0003199105.tif 000008
【図７】
0003199105.tif 000009